(57)【要約】      （修正有）【課題】光り反射効果を有する模様を備えたシート状生地を提供するとともに、このシート状生地を用いて光り反射効果を有する模様を備えた縫製加工品を提供する。【解決手段】合成樹脂製のシートに、ホログラムフィルムを貼り合わせてシート状生地を形成する。このシート状生地を、生地本体に高周波加熱により溶融接合させてキャディバッグ用生地を形成する。このキャディバッグ用生地を縫製加工して、ホログラム模様を備えたキャディバッグを形成する。【選択図】図１
0003144697.tif 000002
【実用新案登録請求の範囲】
【請求項１】
合成樹脂製のシートに、光り反射効果を有するフィルムを貼り合わせて形成したシート状生地。
【請求項２】
前記光り反射効果を有するフィルムは、ホログラムフィルム又はミラージュフィルムであることを特徴とする請求項１記載のシート状生地。
【請求項３】
合成樹脂製のシートに光り反射効果を有するフィルムを貼り合わせて形成したシート状生地を、縫製加工品の生地本体に高周波加熱により溶融接合させたことを特徴とするシート状生地を用いた縫製加工品。
【請求項４】
前記光り反射効果を有するフィルムは、ホログラムフィルム又はミラージュフィルムであることを特徴とする請求項３記載のシート状生地を用いた縫製加工品。
【請求項５】
前記縫製加工品がキャディバッグであることを特徴とする請求項３又は４記載のシート状生地を用いた縫製加工品。
【請求項６】
前記縫製加工品がトートバッグであることを特徴とする請求項３又は４記載のシート状生地を用いた縫製加工品。
【考案の詳細な説明】
【技術分野】
【０００１】
本発明は、シート状生地及びシート状生地を用いた縫製加工品に係り、詳しくは、光り反射効果を有する模様を備えたシート用生地と、このシート状生地を用いて形成した縫製加工品に関する。
【背景技術】
【０００２】
従来、光の反射効果を有し、色彩や輝きが変化するホログラム模様を有するホログラムフィルムや（例えば、特許文献１参照。）、このホログラムフィルムをラミネート加工するとともに、帯状に形成して下着用肩ひも等に適用したものが提案されている（例えば、特許文献２参照。）。
【特許文献１】特許第３３７８８５４号公報
【特許文献２】特許第３８８１５８１号公報
【考案の開示】
【考案が解決しようとする課題】
【０００３】
近年、デザインの多様化に伴って、視覚的にインパクトがあるデザインやアイ・キャッチ効果のある模様を有する製品が提供されるようになっている。上述の特許文献１に示されるホログラムフィルムは、視覚的にインパクトがあり、アイ・キャッチ効果もあることから、特許文献２のように下着用肩ひも等の帯状製品に適用する以外にも、身の回り品に広く適用することが望まれている。
【０００４】
そこで本考案は、光り反射効果を有する模様を備えたシート状生地を提供するとともに、このシート状生地を用いて光り反射効果を有する模様を備えた縫製加工品を提供することを目的としている。
【課題を解決するための手段】
【０００５】
上記の目的を達成するため本考案のシート状生地は、合成樹脂製のシートに、光り反射効果を有するフィルムを貼り合わせて形成しことを特徴とし、前記光り反射効果を有するフィルムが、ホログラムフィルム又はミラージュフィルム（マジカルフィルム）であると好適である。
【０００６】
また、本考案のシート状生地を用いた縫製加工品は、合成樹脂製のシートに光り反射効果を有するフィルムを貼り合わせて形成したシート状生地を、縫製加工品の生地本体に高周波加熱により溶融接合させたことを特徴とし、前記光り反射効果を有するフィルムは、ホログラムフィルム又はミラージュフィルム（マジカルフィルム）であると好適であり、前記縫製加工品は、キャディバッグやトートバッグであってもよい。
【考案の効果】
【０００７】
本考案のシート状生地によれば、色彩や輝きが変化し視覚的にインパクトのある光り反射効果を有する模様を備えた生地が得られる。また、光り反射効果を有するフィルムとして、ホログラムフィルム又はミラージュフィルムを用いれば、光り反射効果を有する良好なシート状生地を安価に製造することができる。
【０００８】
本考案のシート状生地を用いた縫製加工品は、上述のようなシート状生地を縫製加工品の生地本体に高周波加熱により溶融接合させることから、簡単で安価に縫製加工品に光り反射効果を有する模様を付けることができると共に、縫製加工品の強度も確保できる。
【０００９】
さらに、太陽光を多く受けるゴルフ場で用いられるキャディバッグに光り反射効果を有する模様を付けることにより、この模様がよく映え、視覚的インパクトの強いキャディバッグを提供することができる。
【００１０】
また、手に提げたり肩に掛けて持ち歩くトートバッグに光り反射効果を有する模様を付けることにより、シート状生地が光を反射する角度が微妙に変化し、複雑な模様の変化を楽しむことができるバッグ類を提供できる。
【考案を実施するための最良の形態】
【００１１】
以下、本考案のシート状生地及びシート状生地を用いた縫製加工品の各形態例を図面に基づいて詳しく説明する。図１は本考案の一形態例を示すシート状生地の拡大断面図で、シート状生地１は、光り反射効果を有するホログラムフィルム２にウレタンやポリ塩化ビニル等の合成樹脂性のシート３を接着剤で貼り合わせて形成されている。ホログラムフィルム２は、周知のもので、例えばポリエステルフィルムで形成されたベースフィルムに、ホログラム凹凸パターンを有する金属性薄膜層を積層したり、前記ベースフィルムに模様となるインキ層とホログラム凹凸パターンを有する金属性薄膜層を積層して形成されている。
【００１２】
図２はシート状生地を用いて縫製加工したキャディバッグを示す斜視図である。このキャディバッグ４は、合成皮革あるいは塩化ビニール等で形成された生地本体に、上述のシート状生地１を高周波加熱により溶融接合させてキャディバッグ用生地が作成される。このキャディバッグ用生地を縫製加工し、複数の小物収納部５を備えたキャディバッグ本体６が縫製され、該キャディバッグ本体６を合成樹脂の芯材に被せ、底板７やベルト８や把手９を取り付けてキャディバッグ４が形成される。
【００１３】
シート状生地１は、ドクロ模様を備えたホログラムフィルムにウレタンシートを接着剤で貼り合わせることにより形成されている。ホログラムフィルムは、例えば、ベースフィルムとなるポリエステルフィルムの片面に印刷インキで大きさや方向の異なるドクロの模様を所定の間隔で印刷し、ホログラム凹凸パターンを有する金属製薄膜層を全面的に形成したフィルムをその上に押し付けて剥がすことにより、インキの粘着力によりインキの部分にのみ金属製薄膜層が転移してドクロのホログラム模様１０が形成される。
【００１４】
このキャディバッグ４は、小物収納部５を含めたキャディバッグ本体６の生地に、ドクロのホログラム模様１０が設けられることにより、太陽光を多く受けるゴルフ場で、このホログラム模様１０がよく映え、視覚的インパクトの強いキャディバッグを提供することができる。また、シート状生地１は合成皮革あるいは塩化ビニール等で形成された生地本体に高周波加熱により溶融接合されていることから、キャディバッグ４の強度を確保することができる。
【００１５】
図３はシート状生地を用いて縫製加工したトートバッグを示す正面図である。このトートバッグ１１は、塩化ビニールで形成された生地本体に、上述のシート状生地１を高周波加熱により溶融接合させてトートバッグ用生地を作成し、この生地を縫製加工して袋状にし、把手１２を取り付けて形成される。
【００１６】
このトートバッグ１１は、手に提げて持ち歩く際に、シート状生地１が光を反射する角度が微妙に変化し、ドクロのホログラム模様１０の色彩や輝きが複雑に変化することから、視覚的インパクトの強いトートバッグを提供することができる。
【００１７】
なお、上述の形態例では、光り反射効果を有するフィルムとしてホログラムフィルムを適用しているが、本考案は、これに限るものではなくミラージュフィルム（マジカルフィルム）を適用しても良い。このミラージュフィルムは、例えば複数のポリエステル薄膜を延伸軸をずらしながら積層した構造を有し、鏡面のような金属光沢が発現されると同時に、見る角度によって光沢の色が変わり、さらに、ある角度から観察すると裏が透き通って見える。また、本考案のシート状生地を用いた縫製加工品は、上述のキャディバッグやトートバッグに限るものではなく、小物入れや傘や服等の縫製加工品に広く用いることができ、生地の一部に本考案のシート状生地を用いることもできる。また、ホログラム模様も任意であり、図柄の他に、キャッチフレーズや広告の印刷や名入れ等にも適用でき、アイ・キャッチ効果の高い縫製加工品を提供することもできる。
【図面の簡単な説明】
【００１８】
【図１】本考案の一形態例を示すシート状生地の拡大断面図である。
【図２】本考案のシート状生地を用いて縫製加工したキャディバッグを示す斜視図である。
【図３】本考案のシート状生地を用いて縫製加工したトートバッグを示す正面図である。
【符号の説明】
【００１９】
１…シート状生地、２…ホログラムフィルム、３…シート、４…キャディバッグ、５…小物収納部、６…キャディバッグ本体、７…底板、８…ベルト、９…把手、１０…ホログラム模様、１１…トートバッグ、１２…把手
【図１】
0003144697.tif 000003
【図２】
0003144697.tif 000004
【図３】
0003144697.tif 000005